(57)【要約】【課題】  起泡発生が少なく消泡性が良好であるとともに、印字安定性が優れ、美麗な発色を可能にしたインク組成物と、該インク組成物を用いたインクジェット記録方法と、該記録方法で得られる記録物とを提供すること。【解決手段】  下記式（１）の一般式で表されるベタイン系界面活性剤と、消泡剤として特定のエチレングリコールエーテル類及び／又は特定のプロピレングリコールエーテル類とを含有することを特徴とするインク組成物とする。（Ｒ）p−Ｎ−［Ｌ−（ＣＯＯＭ）q］r      式（１）  消泡剤が、エチレングリコールモノｎ−ペンチルエーテル、エチレングリコールモノｎ−ヘキシルエーテル、プロピレングリコールモノｎ−ブチルエーテルから選ばれる１種以上であることが好ましい。【選択図】    なし【特許請求の範囲】
【請求項１】
下記式（１）の一般式で表されるベタイン系界面活性剤と、消泡剤として下記式（２）の一般式で表されるグリコールエーテル類及び／又は下記式（３）の一般式で表されるグリコールエーテル類とを含有することを特徴とするインク組成物。
［化１］
（Ｒ）p−Ｎ−［Ｌ−（ＣＯＯＭ）q］r      式（１）
（上記式（１）中、Ｒは、水素原子、アルキル基、アリール基、またはヘテロ環基を表す。Ｌは２価以上の連結基を表す。Ｍは水素原子、アルカリ金属原子、アンモニウム基、プロトン化された有機アミンもしくは含窒素へテロ環基、４級アンモニウムイオン基を表し、式（１）中のＮ原子からなるアンモニウムイオンの対イオンとなる場合は、カチオンとして存在しない基を表す。ｑは１以上の整数を表し、ｒは１以上４以下の整数を表す。ｐは０以上４以下の整数を表し、ｐ＋ｒは３もしくは４である。ｐ＋ｒが４である場合はＮは４級アミンを構成する窒素原子となる。ｐが２以上の時はＲは同じでも異なっていてもよい。ｑが２以上の時はＣＯＯＭは同じでも異なっていてもよい。ｒが２以上の時はＬ−（ＣＯＯＭ）qは同じでも異なっていてもよい。）
【化２】
2007302802.tif 000020
（上記式（２）中、Ｒは炭素数５又は６のアルキル基を表し、ｎは１〜３の整数を表す。）
【化３】
2007302802.tif 000021
（上記式（３）中、Ｒは炭素数４〜６のアルキル基を表し、ｎは１〜３の整数を表す。）
【請求項２】
式（１）で表されるベタイン系界面活性剤が、下記式（４）の一般式で表される化合物であることを特徴とする請求項１に記載のインク組成物。
【化４】
2007302802.tif 000022
（式（４）中、Ｒ1〜Ｒ3は、炭素数が１〜２０のアルキル基を表し、Ｘは、２価の連結基を表す。）
【請求項３】
式（１）又は式（４）で表されるベタイン系界面活性剤が、下記式（５）で表される化合物であることを特徴とする請求項１又は２に記載のインク組成物。
【化５】
2007302802.tif 000023
【請求項４】
消泡剤としてのグリコールエーテル類が、エチレングリコールモノｎ−ヘキシルエーテル、ジエチレングリコールモノｎ−ヘキシルエーテル、プロピレングリコールモノｎ−ブチルエーテル、ジプロピレングリコールモノｎ−ブチルエーテル、トリプロピレングリコールモノｎ−ブチルエーテルから選ばれる１種以上である請求項１〜３のいずれか一項に記載のインク組成物。
【請求項５】
ベタイン系界面活性剤に対する、グリコールエーテル類の含有割合が、重量比で、１．００：０．２５〜１：５．００であることを特徴とする請求項１〜４のいずれか一項に記載のインク組成物。
【請求項６】
インク組成物の液滴を吐出し、該液滴を記録媒体に付着させて記録を行うインクジェット記録方法において用いられることを特徴とする請求項１〜５のいずれか一項に記載のインク組成物。
【請求項７】
インクジェット記録方法が、圧電素子の機械的変形によりインク滴を形成するインクジェットヘッドを用いた記録方法であることを特徴とする請求項６に記載のインク組成物。
【請求項８】
請求項１〜７のいずれか一項に記載のインク組成物を充填したインクカートリッジ。
【請求項９】
インクジェット記録方法であって、インク組成物として請求項１〜７のいずれか一項に記載のインク組成物を使用すること、または請求項８のインクカートリッジを使用することを特徴とするインクジェット記録方法。
【請求項１０】
請求項９に記載のインクジェット記録方法により記録されたことを特徴とする記録物。
【発明の詳細な説明】
【技術分野】
【０００１】
本発明は、インク組成物、これを用いた記録方法および記録物に関し、特に、起泡が少なく、消泡性が良好であり、従って信頼性（目詰まり回復性及び吐出安定性等）に優れ、美麗な発色を可能にするのみならず、長期間に亘ってプリンタの性能を維持することができるインク組成物と、かかる特性を有するインク組成物を用いたインクジェット記録方法と、該記録方法で得られる美麗な発色状態を長期間に亘って維持する記録物とに関する。
【背景技術】
【０００２】
インクジェット記録方法は、インクの小滴を飛翔させ、紙等の記録媒体に付着させて印刷を行う印刷方法である。
インクとしては、例えば、着色剤である顔料や染料を、界面活性剤や樹脂微粒子と共に使用した組成物として利用することで、印刷品質や印刷物の保存性を向上させる提案がなされている。
【０００３】
しかしながら、このような界面活性剤の利用は、その特性から高い起泡性と低い消泡性をインクにもたらすため、界面活性剤を含有するインク組成物は、吐出安定性や目詰まり回復性等の信頼性に欠けるという問題があった（特許文献１参照）。そこで、界面活性剤を含有するインク組成物の起泡を抑制し、消泡性を向上させる技術が求められている。
【０００４】
一方において、近年のインクジェットプリンタに対する高い印刷品質や印刷物の保存性への希求により、さらに多様な界面活性剤（例えばベタイン系界面活性剤など）や樹脂微粒子の利用が検討されている（特許文献２参照）。
【０００５】
【特許文献１】特開２００４−３１５７３９号公報
【特許文献２】特開２００５−１８７７９０号公報
【発明の開示】
【発明が解決しようとする課題】
【０００６】
本発明は、以上の諸点を考慮し、起泡発生が少なく消泡性が良好であるとともに、従って信頼性（目詰まり回復性及び吐出安定性等）に優れ、美麗な発色を可能にすることができるインク組成物と、掛かる特性を有するインク組成物を用いたインクジェット記録方法と、該記録方法で得られる高画質な記録物とを提供することを課題とする。
【課題を解決するための手段】
【０００７】
上記の課題を解決するために、本発明者らは鋭意検討を行ったところ、まず、（α）少なくとも、特定のベタイン系界面活性剤と特定のグリコールエーテル類とを含有するインク組成物が、起泡性や消泡性において飛躍的な改良効果を示すとの知見を得た。
次に、この知見の下でさらに検討を重ねた結果、（β）グリコールエーテル類のインク組成物中における配合割合の最適化を図った。
【０００８】
すなわち、本発明の構成は以下の通りである。
（１）  下記式（１）の一般式で表されるベタイン系界面活性剤と、消泡剤として下記式（２）の一般式で表されるグリコールエーテル類及び／又は下記式（３）の一般式で表されるグリコールエーテル類とを含有することを特徴とするインク組成物。
［化１］
（Ｒ）p−Ｎ−［Ｌ−（ＣＯＯＭ）q］r      式（１）
（上記式（１）中、Ｒは、水素原子、アルキル基、アリール基、またはヘテロ環基を表す。Ｌは２価以上の連結基を表す。Ｍは水素原子、アルカリ金属原子、アンモニウム基、プロトン化された有機アミンもしくは含窒素へテロ環基、４級アンモニウムイオン基を表し、式（１）中のＮ原子からなるアンモニウムイオンの対イオンとなる場合は、カチオンとして存在しない基を表す。ｑは１以上の整数を表し、ｒは１以上４以下の整数を表す。ｐは０以上４以下の整数を表し、ｐ＋ｒは３もしくは４である。ｐ＋ｒが４である場合Ｎは４級アミンを構成する窒素原子となる。ｐが２以上の時Ｒは同じでも異なっていてもよい。ｑが２以上の時ＣＯＯＭは同じでも異なっていてもよい。ｒが２以上の時はＬ−（ＣＯＯＭ）qは同じでも異なっていてもよい。）
【化２】
2007302802.tif 000002
（上記式（２）中、Ｒは炭素数５又は６のアルキル基を表し、ｎは１〜３の整数を表す。）
【化３】
2007302802.tif 000003
（上記式（３）中、Ｒは炭素数４〜６のアルキル基を表し、ｎは１〜３の整数を表す。）
【０００９】
（２）  式（１）で表されるベタイン系界面活性剤が、下記式（４）の一般式で表される化合物であることを特徴とする前記（１）に記載のインク組成物である。
【化４】
2007302802.tif 000004
（式（４）中、Ｒ1〜Ｒ3は、炭素数が１〜２０のアルキル基を表し、Ｘは、２価の連結基を表す。）
（３）  式（１）又は式（４）で表されるベタイン系界面活性剤が、下記式（５）で表される化合物であることを特徴とする前記（１）又は（２）に記載のインク組成物である。
【化５】
2007302802.tif 000005
【００１０】
（４）  消泡剤としてのグリコールエーテル類が、エチレングリコールモノｎ−ヘキシルエーテル、ジエチレングリコールモノｎ−ヘキシルエーテル、プロピレングリコールモノｎ−ブチルエーテル、ジプロピレングリコールモノｎ−ブチルエーテル、トリプロピレングリコールモノｎ−ブチルエーテルから選ばれる１種以上である前記（１）〜（３）のいずれか一つに記載のインク組成物である。
（５）  ベタイン系界面活性剤に対する、グリコールエーテル類の含有割合が、重量比で、１．００：０．２５〜１：５．００であることを特徴とする前記（１）〜（４）のいずれか一つに記載のインク組成物である。
【００１１】
（６）  インク組成物の液滴を吐出し、該液滴を記録媒体に付着させて記録を行うインクジェット記録方法において用いられることを特徴とする前記（１）〜（５）のいずれか一つに記載のインク組成物である。
（７）  インクジェット記録方法が、圧電素子の機械的変形によりインク滴を形成するインクジェットヘッドを用いた記録方法であることを特徴とする前記（６）に記載のインク組成物である。
【００１２】
（８）  前記（１）〜（７）のいずれか一つに記載のインク組成物を充填したインクカートリッジである。
（９）  インクジェット記録方法であって、インク組成物として前記（１）〜（７）のいずれか一つに記載のインク組成物を使用すること、または前記（８）のインクカートリッジを使用することを特徴とするインクジェット記録方法である。
（１０）  前記（９）に記載のインクジェット記録方法により記録されたことを特徴とする記録物である。
【発明の効果】
【００１３】
本発明のインク組成物は、現行のインクジェットプリンタ用インクとして好適である。また、十分な起泡抑制効果や消泡向上性を有しているため、一般的なインクジェット記録方法において、信頼性に優れ、高い印刷品質や印刷物の保存性を提供できる。
【発明を実施するための最良の形態】
【００１４】
本発明のインク組成物においては、下記式（１）の一般式で表されるベタイン系界面活性剤と、下記式（２）の一般式で表されるグリコールエーテル類及び／又は下記式（３）の一般式で表されるグリコールエーテル類とを含有することが重要である。
［化６］
（Ｒ）p−Ｎ−［Ｌ−（ＣＯＯＭ）q］r      式（１）
（上記式（１）中、Ｒは、水素原子、アルキル基、アリール基、またはヘテロ環基を表す。Ｌは２価以上の連結基を表す。Ｍは水素原子、アルカリ金属原子、アンモニウム基、プロトン化された有機アミンもしくは含窒素へテロ環基、４級アンモニウムイオン基を表し、式（１）中のＮ原子からなるアンモニウムイオンの対イオンとなる場合は、カチオンとして存在しない基を表す。ｑは１以上の整数を表し、ｒは１以上４以下の整数を表す。ｐは０以上４以下の整数を表し、ｐ＋ｒは３もしくは４である。ｐ＋ｒが４である場合Ｎは４級アミンを構成する窒素原子となる。ｐが２以上の時Ｒは同じでも異なっていてもよい。ｑが２以上の時ＣＯＯＭは同じでも異なっていてもよい。ｒが２以上の時はＬ−（ＣＯＯＭ）qは同じでも異なっていてもよい。）
【化７】
2007302802.tif 000006
（上記式（２）中、Ｒは炭素数５又は６のアルキル基を表し、ｎは１〜３の整数を表す。）
【化８】
2007302802.tif 000007
（上記式（３）中、Ｒは炭素数４〜６のアルキル基を表し、ｎは１〜３の整数を表す。）
【００１５】
以下、各構成要素について詳細に説明する。
［ベタイン系界面活性剤］
本発明におけるベタイン系界面活性剤としては、上記式（１）の化合物並びにその塩から選ばれる一種以上からなるベタイン系界面活性剤が用いられる。
【００１６】
本発明におけるベタイン系界面活性剤としては、インク組成物の被印刷物への定着性向上の点から、下記式（４）の一般式で表されるベタイン系界面活性剤が好ましい。下記式（４）の一般式で表される化合物は、１種を単独で用いてもよいし、複数種を混合して用いてもよい。
【化９】
2007302802.tif 000008
（式（４）中、Ｒ1〜Ｒ3は、炭素数が１〜２０のアルキル基を表し、Ｘは、２価の連結基を表す。）
【００１７】
本発明におけるベタイン系界面活性剤としては、インク組成物の被印刷物への定着性向上の点から、下記式（５）で表されるベタイン系界面活性剤がより好ましい。
【化１０】
2007302802.tif 000009
【００１８】
［消泡剤（グリコールエーテル類）］
本発明で使用できる消泡剤としてのグリコールエーテル類は、下記式（２）の一般式で表されるグリコールエーテル類及び／又は下記式（３）の一般式で表されるグリコールエーテル類である。
【化１１】
2007302802.tif 000010
（上記式（２）中、Ｒは炭素数５又は６のアルキル基を表し、ｎは１〜３の整数を表す。）
【化１２】
2007302802.tif 000011
（上記式（３）中、Ｒは炭素数４〜６のアルキル基を表し、ｎは１〜３の整数を表す。）
【００１９】
上記式（２）で表されるグリコールエーテル類としては、例えば、エチレングリコールモノｎ−ペンチルエーテル、エチレングリコールモノｉｓｏ−ペンチルエーテル、エチレングリコールモノネオペンチルエーテル、エチレングリコールモノｎ−ヘキシルエーテル、エチレングリコールモノｉｓｏ−ヘキシルエーテル、ジエチレングリコールモノｎ−ペンチルエーテル、ジエチレングリコールモノｉｓｏ−ペンチルエーテル、ジエチレングリコールモノネオペンチルエーテル、ジエチレングリコールモノｎ−ヘキシルエーテル、ジエチレングリコールモノｉｓｏ−ヘキシルエーテル、トリエチレングリコールモノｎ−ペンチルエーテル、トリエチレングリコールモノｉｓｏ−ペンチルエーテル、トリエチレングリコールモノネオペンチルエーテル、トリエチレングリコールモノｎ−ヘキシルエーテル、トリエチレングリコールモノｉｓｏ−ヘキシルエーテルなどの分子末端の一方が水酸基であるエチレングリコールエーテル類などが挙げられる。これらのグリコールエーテル類は、１種のみを添加してもよく、２種以上を混合して添加してもよい。
【００２０】
上記式（３）で表されるグリコールエーテル類としては、例えば、プロピレングリコールモノｎ−ブチルエーテル、プロピレングリコールモノｉｓｏ−ブチルエーテル、プロピレングリコールモノｔｅｒｔ−ブチルエーテル、プロピレングリコールモノｎ−ペンチルエーテル、プロピレングリコールモノｉｓｏ−ペンチルエーテル、プロピレングリコールモノネオペンチルエーテル、プロピレングリコールモノｎ−ヘキシルエーテル、プロピレングリコールモノｉｓｏ−ヘキシルエーテル、ジプロピレングリコールモノｎ−ブチルエーテル、ジプロピレングリコールモノｉｓｏ−ブチルエーテル、ジプロピレングリコールモノｔｅｒｔ−ブチルエーテル、ジプロピレングリコールモノｎ−ペンチルエーテル、ジプロピレングリコールモノｉｓｏ−ペンチルエーテル、ジプロピレングリコールモノネオペンチルエーテル、ジプロピレングリコールモノｎ−ヘキシルエーテル、ジプロピレングリコールモノｉｓｏ−ヘキシルエーテル、トリプロピレングリコールモノｎ−ブチルエーテル、トリプロピレングリコールモノｉｓｏ−ブチルエーテル、トリプロピレングリコールモノｔｅｒｔ−ブチルエーテル、トリプロピレングリコールモノｎ−ペンチルエーテル、トリプロピレングリコールモノｉｓｏ−ペンチルエーテル、トリプロピレングリコールモノネオペンチルエーテル、トリプロピレングリコールモノｎ−ヘキシルエーテル、トリプロピレングリコールモノｉｓｏ−ヘキシルエーテルなどの分子末端の一方が水酸基であるプロピレングリコールエーテル類などが挙げられる。これらのグリコールエーテル類は、１種のみを添加してもよく、２種以上を混合して添加してもよい。
【００２１】
上記式（２）及び式（３）で表されるグリコールエーテル類の中でも、消泡剤として、且つ水系媒体であるインク組成物への使用を考慮すると、プロピレングリコールモノｎ−ブチルエーテル、ジプロピレングリコールモノｎ−ブチルエーテル、トリプロピレングリコールモノｎ−ブチルエーテル、エチレングリコールモノｎ−ヘキシルエーテル、ジエチレングリコールモノｎ−ヘキシルエーテルのグリコールエーテル類が好ましい。
【００２２】
消泡剤の配合量は、少なすぎるとインク組成物に十分な起泡抑制効果や消泡向上性が得られず、多すぎても印刷品質や保存安定性が損なわれる。このため、本発明では、インク組成物中に０．２５〜５．００重量％の範囲で含有されることが好ましい。
【００２３】
消泡剤としてのグリコールエーテル類とベタイン系界面活性剤とを、重量比で１：０．２５〜１：５．００の配合割合で配合することにより、インク組成物全体として、起泡抑制及び消泡効果に優れ、かつ、印刷品質や印字安定性に優れるというバランスの良いインク組成物を得ることができる。
【００２４】
［着色剤］
本発明における着色剤としては、通常のインクジェット記録方法において用いられ得るものであれば、水溶性染料でも顔料でも用いることができる。
前記染料としては、特にその種類を限定することなく、酸性染料、直接染料、反応性染料、塩基性染料が使用できる。例えば、Ｃ．Ｉ．アシッドイエロー１７，２３，４２，４４，７９，１４２、Ｃ．Ｉ．アシッドレッド５２，８０，８２，２４９，２５４，２８９、Ｃ．Ｉ．アシッドブルー９，４５，２４９、Ｃ．Ｉ．アシッドブラック１，２，２４，９４、Ｃ．Ｉ．フードブラック１，２、Ｃ．Ｉ．ダイレクトイエロー１，１２，２４，３３，５０，５５，５８，８６，１３２，１４２，１４４，１７３、Ｃ．Ｉ．ダイレクトレッド１，４，９，８０，８１，２２５，２２７、Ｃ．Ｉ．ダイレクトブルー１，２，１５，７１，８６，８７，９８，１６５，１９９，２０２、Ｃ．Ｉ．ダイレクドブラック１９、３８、５１、７１、１５４、１６８、１７１、１９５、Ｃ．Ｉ．リアクティブレッド１４，３２，５５，７９，２４９、Ｃ．Ｉ．リアクティブブラック３、４、３５等を用いることができる。
【００２５】
さらに、本発明では、前述のベタイン系界面活性剤のほかに、ノニオン系界面活性剤、アニオン系界面活性剤およびカチオン系界面活性剤を含有してもよく、中でも、適当な静的表面張力のインク組成物を得るという観点からノニオン系界面活性剤を含有することが特に好ましい。
ノニオン系界面活性剤のさらなる具体例として、アセチレングリコール系界面活性剤、アセチレンアルコール系界面活性剤、ポリオキシエチレンノニルフェニルエーテル、ポリオキシエチレンオクチルフェニルエーテル、ポリオキシエチレンドデシルフェニルエーテル、ポリオキシエチレンアルキルアリルエーテル、ポリオキシエチレンオレイルエーテル、ポリオキシエチレンラウリルエーテル、ポリオキシエチレンアルキルエーテル、ポリオキシアルキレンアルキルエーテルなどのエーテル系、ポリオキシエチレンオレイン酸、ポリオキシエチレンオレイン酸エステル、ポリオキシエチレンジステアリン酸エステル、ソルビタンラウレート、ソルビタンモノステアレート、ソルビタンモノオレエート、ソルビタンセスキオレート、ポリオキシエチレンモノオレエート、ポリオキシエチレンステアレート等のエステル系、ジメチルポリシロキサン等のシリコン系界面活性剤、その他フッ素アルキルエステル、パーフルオロアルキルカルボン酸塩等の含フッ素系界面活性剤等が挙げられる。
なお、これらのノニオン系界面活性剤は、適当な静的表面張力のインク組成物を得るという観点から、インク組成物中に０．１〜５重量％含まれることが好ましい。
【００２６】
また、上記ノニオン系界面活性剤の中でも特にアセチレングリコール系界面活性剤が起泡も少なく、また優れた消泡性能を有する点で好ましい。
アセチレングリコール系界面活性剤の更なる具体例としては、２，４，７，９−テトラメチル−５−デシン−４，７−ジオール、３，６−ジメチル−４−オクチン−３，６−ジオール、３，５−ジメチル−１−ヘキシン−３−オールなどが挙げられるが、市販品で入手も可能で、例えば、エアープロダクツ社のサーフィノール１０４、８２、４６５、４８５、ＴＧや日信化学社製のオルフィンＳＴＧ、オルフィンＥ１０１０等が挙げられる。
【００２７】
さらに、本発明のインク組成物は、浸透促進剤を含有してもよい。
本発明で使用される浸透促進剤としては、特に限定されないが、中でもグリコールエーテル類が好ましい。
グリコールエーテル類の具体例としては、エチレングリコールモノメチルエーテル、エチレングリコールモノメチルエーテルアセテート、ジエチレングリコールモノメチルエーテル、ジエチレングリコールモノエチルエーテル、ジエチレングリコールモノ−ｎ−プロピルエーテル、エチレングリコールモノ−ｉｓｏ−プロピルエーテル、ジエチレングリコールモノ−ｉｓｏ−プロピルエーテル、ジエチレングリコールモノブチルエーテル、トリエチレングリコールモノブチルエーテル、１−メチル−１−メトキシブタノール、プロピレングリコールモノメチルエーテル、プロピレングリコールモノエチルエーテル、プロピレングリコールモノ−ｎ−プロピルエーテル、プロピレングリコールモノ−ｉｓｏ−プロピルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｉｓｏ−プロピルエーテル等が挙げられ、これらの１種又は２種以上を混合して用いてもよい。
なお、これらの浸透促進剤は、インク組成物の適正な物性値（粘度等）の確保、印刷品質、信頼性の確保という観点で、インク組成物 に対して、０．２５〜１０重量％の範囲の量添加することが好ましい。
【００２８】
以上のような本発明のインク組成物には、必要に応じて、ｐＨ調整剤、酸化防止剤、紫外線吸収剤、防腐・防カビ剤等を添加することができる。
【００２９】
ｐＨ調整剤としては、水酸化リチウム、水酸化カリウム、水酸化ナトリウム等のアルカリ金属の水酸化物、アンモニア、トリエタノールアミン、トリプロパノールアミン、ジエタノールアミン、モノエタノールアミン等のアミン類等を用いることができる。また、必要に応じて、コリジン、イミダゾール、燐酸、３−（Ｎ−モルホリノ）プロパンスルホン酸、トリス（ヒドロキシメチル）アミノメタン、ほう酸等をｐＨ緩衝剤として用いることができる。
【００３０】
酸化防止剤・紫外線吸収剤としては、アロハネート、メチルアロハネートなどのアロハネート類、ビウレット、ジメチルビウレット、テトラメチルビウレットなどのビウレット類など、Ｌ−アスコルビン酸およびその塩等、チバガイギー社製のＴｉｎｕｖｉｎ３２８、９００、１１３０、３８４、２９２、１２３、１４４、６２２、７７０、２９２、Ｉｒｇａｃｏｒ２５２、１５３、Ｉｒｇａｎｏｘ１０１０、１０７６、１０３５、ＭＤ１０２４など、あるいはランタニドの酸化物等が用いられる。
【００３１】
防腐剤・防かび剤としては、例えば、安息香酸ナトリウム、ペンタクロロフェノールナトリウム、２−ピリジンチオール−１−オキサイドナトリウム、ソルビン酸ナトリウム、デヒドロ酢酸ナトリウム、１，２−ジベンジソチアゾリン−３−オン（アーチケミカルズジャパン社のプロキセルＣＲＬ、プロキセルＢＤＮ、プロキセルＧＸＬ、プロキセルＸＬ−２、プロキセルＴＮ）等が挙げられる。
【００３２】
また、本発明のインク組成物に含有される主溶媒は水である。
この水としては、イオン交換水、限外濾過水、逆浸透水、蒸留水等の純水または超純水などを用いることができる。特に紫外線照射または過酸化水素添加等により滅菌処理した水を用いることが、カビやバクテリアの発生を防止してインク組成物の長期保存を可能にする点で好ましい。
【００３３】
本発明のインク組成物はペン等の筆記具類、スタンプ等に好適に使用することができるが、インクジェット記録用インク組成物としてさらに好適に使用できる。
本発明においてインクジェット記録方法とは、インク組成物を微細なノズルより液滴として吐出して、その液滴を記録媒体に付着させる方法を意味する。具体例を以下に説明する。
【００３４】
第一の方法としては、静電吸引方式があり、この方式はノズルとノズルの前方に置いた加速電極の間に強電界を印加し、ノズルからインクを液滴状で連続的に噴射させ、インク滴が偏向電極間を飛翔する間に印刷情報信号を偏向電極に与えて記録する方式、あるいはインク滴を偏向することなく印刷情報信号に対応して噴射させる方式である。
【００３５】
第二の方法としては、小型ポンプでインク液に圧力を加え、ノズルを水晶振動子等で機械的に振動させることにより、強制的にインク滴を噴射させる方式である。噴射したインク滴は噴射と同時に帯電させ、インク滴が偏向電極間を飛翔する間に印刷情報信号を偏向電極に与えて記録する。
【００３６】
第三の方法は圧電素子（ピエゾ素子）を用いる方式であり、インク液に圧電素子で圧力と印刷情報信号を同時に加え、インク滴を噴射・記録させる方式である。
【００３７】
第四の方式は熱エネルギーの作用によりインク液を急激に体積膨張させる方式であり、インク液を印刷情報信号に従って微小電極で加熱起泡させ、インク滴を噴射・記録させる方式である。
【００３８】
以上のいずれの方式も本発明のインクを用いたインクジェット記録方法に使用することができ、それぞれの方式のインクジェットカートリッジに充填することができる。
【００３９】
また、本発明における記録媒体とは、例えば、紙（ゼロックスＰ（商品名：富士ゼロックス社製）、Ｘｅｒｏｘ ４０２４（商品名：Ｘｅｒｏｘ Ｃｏ．（米国））、写真用紙クリスピア＜高光沢＞（商品名：セイコーエプソン社製）など）等が挙げられるが、特にこれに限定されるものではない。
【００４０】
本発明の記録物は、前述の構成のインク組成物を用いて、上記インクジェット記録方法により記録が行われたものである。
この記録物は、本発明のインク組成物を用いることにより、印字品質が良好で、優れた印字安定性を示し、美麗な発色状態を呈し、しかもこの美麗な発色状態を長期間に亘って維持することができる。
【実施例】
【００４１】
［実施例１〜３２及び比較例１〜３２］
実施例１〜３２及び比較例１〜３２のインク組成物を、表１〜４に示す配合割合で各成分を混合して溶解させ、孔径１μｍのPTFE（ポリテトラフルオロエチレン製）フィルターにて加圧濾過を行って、各インク組成物を調製した。
なお、表１〜４中に示すインク組成物の各成分はインク組成物全量に対する各成分の重量％を示し、残量は水である。
【００４２】
表１〜４において、［１］はＣ．Ｉ．アシッドレッド５２、［２］は式（４）で表すベタイン系界面活性剤、［３］は日信化学社製アセチレングリコール系界面活性剤、［４］はアーチケミカルズジャパン社製防腐・防かび剤、［５］はエチレンジアミン四酢酸二水素二ナトリウム二水和物、［６］はジプロピレングリコールモノｎ−エチルエーテル、［７］はジプロピレングリコールモノｎ−プロピルエーテル、［８］はプロピレングリコールモノｎ−ブチルエーテル、［９］はジプロピレングリコールモノｎ−ブチルエーテル、［１０］はトリプロピレングリコールモノｎ−ブチルエーテル、［１１］はプロピレングリコールモノメチルエーテル、［１２］はジプロピレングリコールモノメチルエーテル、［１３］はジプロピレングリコールモノｎ−ペンチルエーテル、［１４］はプロピレングリコールモノｎ−ヘキシルエーテル、［１５］はプロピレングリコールモノｎ−プロピルエーテル、［１６］はエチレングリコール、［１７］はジエチレングリコール、［１８］はトリエチレングリコール、［１９］はプロピレングリコール、［２０］はエチレングリコールモノメチルエーテル、［２１］はジエチレングリコールモノメチルエーテル、［２２］はジエチレングリコールモノエチルエーテル、［２３］はジエチレングリコールモノｎ−プロピルエーテル、［２４］はエチレングリコールモノｎ−ブチルエーテル、［２５］はジエチレングリコールモノｎ−ブチルエーテル、［２６］はジエチレングリコールモノｎ−ペンチルエーテル、［２７］はエチレングリコールモノｎ−ヘキシルエーテル、［２８］はジエチレングリコールモノｎ−ヘキシルエーテル、［２９］はエチレングリコールモノオクチルエーテルを表す。
【００４３】
【表１】
2007302802.tif 000012
【００４４】
【表２】
2007302802.tif 000013
【００４５】
【表３】
2007302802.tif 000014
【００４６】
【表４】
2007302802.tif 000015
【００４７】
泡立ち性（起泡性）、泡消え性（消泡性）は目視ならびに、泡高さを経時にて観測することで実施した。具体的には、各実施例及び比較例の配合のインク１０ｇを直径２ｃｍ×高さ１０ｃｍの円筒状ガラス容器に封入して５０回振り混ぜ、泡と液体との界面から、泡の最高高さまでの高さ（Ｈ）を測定して起泡性の評価を行い、当該泡と液体との界面から泡の最高高さまでの高さ（Ｈ）が、０．５Ｈとなるまでの時間を消泡性として評価した。（実験は23〜24℃の気温の下でおこなった。）
得られた結果を表５〜８に示す。
【００４８】
【表５】
2007302802.tif 000016
【００４９】
【表６】
2007302802.tif 000017
【００５０】
【表７】
2007302802.tif 000018
【００５１】
【表８】
2007302802.tif 000019
【００５２】
上記の実施例に記載のインク組成物を、インクジェットプリンタＰＭ−Ａ７００（セイコーエプソン株式会社製）を用いて、この専用カートリッジに充填し、インクジェット専用記録媒体（写真用紙クリスピア＜高光沢＞（セイコーエプソン株式会社製））に印字した結果、良好に印刷を行うことができた。
【産業上の利用可能性】
【００５３】
本発明のインク組成物は、インクジェットプリンタに特に好適なインク組成物として利用することができる。また、本発明のインクジェット記録方法は、種々の記録媒体に記録するインクジェット記録方法として利用できる。さらに、本発明の記録物は、種々の情報を記録しておく記録物として利用できる。